(57)【特許請求の範囲】
【請求項１】
一枚の箱体形成片からなり、筒体に組み立てられた側面と、前記側面の裏面に糊付けされて前記筒体を保形する糊付片と、前記筒体の下方の開口を閉鎖する底部と、前記底部の内側に設けられ互いに対向する一対の緩衝部が設けられた箱体であって、一方の前記緩衝部は、前記糊付片に連接して設けられ、
前記糊付片に連接する前記緩衝部は、前記底部から所定間隔離れて略平行に位置する延長片と、前記延長片の前記糊付片とは反対側の端部に連続し上方に立ち上がる立上片と、前記立上片の端部と前記糊付片の高さの途中部分に連続する上面片が設けられ、前記上面片は、収容物の底面を保持し、
前記立上片には、前記延長片よりも下方に突出し前記底部に先端が当接する下方突出部と、前記上面片よりも上方に突出し、前記箱体内の空間を仕切る上方突出部が設けられていることを特徴とする緩衝機能付包装箱。
【請求項２】
前記上方突出部と前記下方突出部は、前記上面片または前記延長片に形成されたＵ字形又はコの字形の切断線で囲まれて設けられ、前記切断線の両端部は前記立上片の端部に一致して設けられ、前記立上片が前記上面片と前記延長片に対して折り曲げられると、前記上方突出部と前記下方突出部は、前記上面片または前記延長片から引き起こされて前記立上片に対して面一に連続する請求項１記載の緩衝機能付包装箱。
【請求項３】
前記箱体形成片は、互いに平行に連接された側面と、前記側面の連接方向一端の側面に設けられ前記側面の他端の側面に糊付けされる前記糊付片が設けられ、前記糊付片の、前記側面との連接方向に交差し前記底部に近い端部には、前記一対の緩衝部の一方が折罫線を介して設けられ、
前記緩衝部は、前記延長片、前記立上片、前記上面片が各々折罫線で区切られて順に設けられ、前記上面片の端部には、前記糊付片の裏面に糊付けされる上面片糊付け部が折罫線を介して設けられ、前記下方突出部と前記上方突出部を囲む前記切断線は、両端部が前記折罫線に連続し、前記切断線の両端部の間は、前記折罫線が途切れ、
前記一対の緩衝部の他方は、前記糊付片が設けられた前記側面に隣接する前記側面に折罫線を介して設けられている請求項２記載の緩衝機能付包装箱。
【発明の詳細な説明】
【技術分野】
【０００１】
この発明は、箱体と一体に緩衝仕切部が設けられ、ガラス製容器等の破損しやすい収容物を複数個緩衝的に包装するための緩衝機能付包装箱に関する。
【背景技術】
【０００２】
従来、紙製等のシートから一体的に打ち抜かれた箱体形成片を折り曲げて糊付けし、組み立てて形成された包装箱がある。この様な包装箱には、ガラス瓶等の衝撃に弱い収容物を複数個保持するための緩衝仕切部が箱体形成片に一体に設けられているものがある。
【０００３】
例えば、特許文献１に開示されている緩衝中仕切り付き包装箱は、互いに連接し筒状に組み立てられた４つの側面板と、互いに対面する一対の側面板の底面側に、底フラップから延出して緩衝支持部が各々設けられている。各緩衝支持部は、緩衝片と、緩衝底面部、緩衝糊付片が順に連続して設けられ、緩衝片の側方に緩衝中仕切り片が延出している。組立状態で、緩衝支持部が、底フラップから所定間隔を開けて箱体内の空間に一体に設けられ、箱体内の空間を緩衝中仕切り片が仕切る。これにより２つの収容物の間に緩衝中仕切り片が位置し、互いに衝突することを防ぐ。
【０００４】
また、特許文献２に開示されている破瓶防止機能を有するケースは、底部の中央から立ち上がる一対の立上げ板及び天板のうち少なくとも一方側に、立上げ板から折り目を設けることなく先端が天板側までに至る突起部を切り込んで形成してあり、天板が水平となった状態では突起部は立上げ板付近で上方に突出している。これにより２つの収容物の間に突起部が位置し、互いに衝突することを防ぐ。
【先行技術文献】
【特許文献】
【０００５】
【特許文献１】特開２０１５−１３６７２号公報
【特許文献２】特開２０１０−３６９５２号公報
【発明の概要】
【発明が解決しようとする課題】
【０００６】
上記背景技術の場合、垂直方向に立ち上がる緩衝片や立ち上げ板は、箱体の底から直接立ち上がるため、箱体の底からの衝撃を受けやすい。また、一対の収容物の間を仕切る緩衝中仕切り片や突起部は、一対の収容物の間に垂直方向に設けられて互いに衝突することは防ぐが、突起部の幅が狭く、一対の収容物の間はシート自体の厚みの分が離間しているだけであるので、緩衝性能が低く衝撃を受けやすい。
【０００７】
この発明は、上記背景技術の問題点に鑑みてなされたものであり、高い緩衝機能を有し、確実に収容物を保護することができる緩衝機能付包装箱を提供することを目的とする。
【課題を解決するための手段】
【０００８】
本発明は、一枚の箱体形成片からなり、筒体に組み立てられた側面と、前記側面の裏面に糊付けされて前記筒体を保形する糊付片と、前記筒体の下方の開口を閉鎖する底部と、前記底部の内側に設けられ互いに対向する一対の緩衝部が設けられた箱体であって、一方の前記緩衝部は、前記糊付片に連接して設けられている緩衝機能付包装箱である。前記糊付片に連接する前記緩衝部は、前記底部から所定間隔離れて略平行に位置する延長片と、前記延長片の前記糊付片とは反対側の端部に連続し上方に立ち上がる立上片と、前記立上片の端部と前記糊付片の高さの途中部分に連続する上面片が設けられている。前記上面片は、収容物の底面を保持する。前記立上片には、前記延長片よりも下方に突出し前記底部に先端が当接する下方突出部と、前記上面片よりも上方に突出し、前記箱体内の空間を仕切る上方突出部が設けられている。
【０００９】
前記上方突出部と前記下方突出部は、前記上面片または前記延長片に形成されたＵ字形又はコの字形の切断線で囲まれて設けられ、前記切断線の両端部は前記立上片の端部に一致して設けられ、前記立上片が前記上面片と前記延長片に対して折り曲げられると、前記上方突出部と前記下方突出部は、前記上面片または前記延長片から引き起こされて前記立上片に対して面一に連続する。
【００１０】
前記箱体形成片は、互いに平行に連接された側面と、前記側面の連接方向一端の側面に設けられ前記側面の他端の側面の裏面に糊付けされる前記糊付片が設けられ、前記糊付片の、前記側面との連接方向に交差し前記底部に近い端部には、前記一対の緩衝部の一方が折罫線を介して設けられている。前記緩衝部は、前記延長片、前記立上片、前記上面片が各々折罫線で区切られて順に設けられ、前記上面片の端部には、前記糊付片の裏面に糊付けされる上面片糊付け部が折罫線を介して設けられている。前記下方突出部と前記上方突出部を囲む前記切断線は、両端部が前記折罫線に連続し、前記切断線の両端部の間は、前記折罫線が途切れている。前記一対の緩衝部の他方は、前記糊付片が設けられた前記側面に隣接する前記側面に折罫線を介して設けられている。
【発明の効果】
【００１１】
本発明の緩衝機能付包装箱は、箱体の底板と緩衝片や立ち上げ底板を切り離して設けることや底板と離れた延長片を設けることで、箱体の底面からの外部衝撃が伝わりにくく、上面片が破損しても延長片で外部衝撃を受け止められ、高い緩衝性を持つことができるものである。これにより、破損しやすい収容物を複数収納した状態でも高い緩衝機能を有し、確実に収容物を保護することができる。しかも、構造がシンプルであり、組み立ても容易なものである。
【図面の簡単な説明】
【００１２】
【図１】この発明の一実施形態の緩衝機能付包装箱の縦断面図である。
【図２】この発明の一実施形態の緩衝機能付包装箱の展開図である。
【図３】この発明の一実施形態の緩衝機能付包装箱の組立工程を示す裏面から見た展開図である。
【図４】この発明の一実施形態の緩衝機能付包装箱の組立工程を示す裏面から見た展開図である。
【図５】他の実施形態の緩衝機能付包装箱の縦断面図である。
【図６】他の実施形態の緩衝機能付包装箱の展開図である。
【図７】さらに他の実施形態の緩衝機能付包装箱の縦断面図である。
【図８】さらに他の実施形態の緩衝機能付包装箱の展開図である。
【発明を実施するための形態】
【００１３】
以下、この発明の実施形態について図面に基づいて説明する。図１はこの一実施形態を示すもので、この実施形態の緩衝機能付包装箱１０は、紙製のシートを打ち抜いて形成された箱体形成片１２を組み立てて設けられている。図２は箱体形成片１２を表面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０はやや短くて互いにほぼ等しい。さらに、側面１４の側縁部には、側面２０の裏面に糊付けされる糊付片２２が設けられている。糊付片２２は、側面２０とほぼ同じ大きさである。糊付片２２、側面１４，１６，１８，２０は、各々折罫線２４，２６，２８，３０で区切られている。
【００１４】
糊付片２２の、側面１４との連接方向に対して直角な方向の一端部には、緩衝部３２が、折罫線３４で区切られて連接して設けられている。緩衝部３２は、糊付片２２の、折罫線２４とは反対側の側縁部２２ａの延長線に沿って長く延出し、側縁部２２ａの延長線に位置する部分は、側縁部２２ａに対して平行で側縁部２２ａよりも少し折罫線２４に近い位置にある直線である側縁部３２ａである。緩衝部３２は、折罫線３４に連接して延長片３６と、立上片３８と、上面片４０、上面片糊付け部４２が順に設けられ、折罫線３４に対して平行な折罫線４４，４６、破断線４８で各々区切られている。
【００１５】
延長片３６は、折罫線３４側の端部よりも反対側の折罫線４４を有する端部が短く、側縁部３２ａとは反対側の折罫線２４に近い側縁部３６ａが、折罫線３４から離れるにつれて側縁部３２ａに近づくように傾斜し、変形した台形に形成されている。糊付片２２との連接方向の長さは、側面１４の、糊付片２２との連接方向の長さの約半分である。
【００１６】
立上片３８も、折罫線４４側の端部よりも反対側の折罫線４６を有する端部が短く、側縁部３２ａとは反対側の折罫線２４に近い側縁部３８ａが、折罫線４４から離れるにつれて側縁部３２ａに近づくように傾斜し、変形した台形に形成されている。側縁部３８ａの、折罫線４４に対する角度は、延長片３６の側縁部３６ａの、折罫線３４に対する角度よりも僅かに小さい。延長片３６との連接方向の長さは、延長片３６の約半分程度の短いものである。
【００１７】
上面片４０も、折罫線４６側の端部よりも反対側の破断線４８を有する端部が僅かに短く、側縁部３２ａとは反対側の折罫線２４に近い側縁部４０ａが、折罫線４６から離れるにつれて側縁部３２ａに近づくように傾斜し、変形した台形に形成されている。側縁部４０ａの、折罫線４６に対する角度は、延長片３６の側縁部３６ａの、折罫線３４に対する角度とほぼ同じである。立上片３８との連接方向の長さは延長片３６とほぼ同じであり、側面１４の、糊付片２２との連接方向の長さの約半分である。
【００１８】
上面片糊付け部４２は、矩形であり、側縁部３２ａと、側縁部３２ａとは反対側の側縁部４０ａは、互いに略平行である。上面片４０との連接方向の長さは、延長片３６や上面片４０とほぼ同じである。
【００１９】
折罫線４４の中心には、延長片３６側に凸となるコの字形の切断線４５が設けられている。切断線４５の内側の部分は、折罫線４４を折り曲げた時に立上片３８と面一に突出する下方突出部４７となる。切断線４５の両端部は折罫線４４に連続し、切断線４５の両端部の間は折罫線４４が途切れている。
【００２０】
上面片４０には、上方突出部５０が設けられている。上方突出部５０は、折罫線４６に対して直角方向に長く延出する形状であり、基端部は折罫線４６の中心に連続し、先端部は上面片４０の中央に位置し、先端はＵ字形に形成されている。上方突出部５０は、Ｕ字形の切断線５２で囲まれて上面片４０のその他の部分と区切られている。切断線５２の両端部は折罫線４６に連続し、切断線５２の両端部の間は折罫線４６が途切れている。上面片４０の、上方突出部５０の先端に連続する周囲には、Ｕ字形の透孔５４が形成されている。
【００２１】
延長片３６、立上片３８、上面片４０には、折罫線３４に対して直角に位置する押し罫線５６が設けられ、補強されている。押し罫線５６は、折罫線３４と破断線４８に連続し、折罫線４４の周辺と、上方突出部５０の先端部付近が途切れ、切断線４５と切断線５２、透孔５４には連続しない。押し罫線５６は、延長片３６、立上片３８、上面片４０の各々中央を通過する位置に設けられている。
【００２２】
側面１４の、糊付片２２の折罫線３４とは反対側の端部に隣接する部分には、矩形の内側上蓋片５８が折罫線６０で区切られて設けられている。内側上蓋片５８の、折罫線６０とは反対側の端部には、緩衝機能付包装箱１０の開封後に側面１８の裏面に差し込んで再封する差込片６１が折罫線６３で区切られて設けられている。側面１４の、折罫線６０とは反対側の端部には、内側上蓋片５８よりも少し小さい台形の内側下蓋片６２が折罫線６４で区切られて設けられている。
【００２３】
側面１６の、側面１４の折罫線６０に隣接する部分には、小さい矩形の上フラップ６６が折罫線６８で区切られて設けられている。側面１６の、折罫線６８とは反対側の端部には、緩衝部７０が折罫線７２で区切られて連接して設けられている。緩衝部７０は、折罫線７２に連接して、底面片７４と、立上片７６と、上面片７８、上面片糊付け部８０が順に設けられ、折罫線７２に対して平行な破断線８２，８４、折罫線８６で各々区切られている。
【００２４】
底面片７４は、折罫線７２側の端部よりも反対側の破断線８２を有する端部が短く、折罫線７２に交差する一対の側縁部には横幅が小さくなる段部が設けられている。底面片７４の、側面１６との連接方向の長さは、側面１４の、糊付片２２または側面１６との連接方向の長さの半分より少し短い。そして、側面１４の、糊付片２２または側面１６との連接方向の長さから、緩衝部３２の延長片３６の連接方向の長さを差し引いたものよりも短く、延長片３６よりも少し短い。
【００２５】
立上片７６と、上面片７８、上面片糊付け部８０は、連接方向に交差する幅が互いに同じ矩形であり、底面片７４の破断線８２を有する端部よりわずかに短く、折罫線２６よりも折罫線２８の近くに少し寄って設けられている。連接方向の長さは互いに異なり、立上片７６は、底面片７４よりも少し短い。上面片７８は底面片７４とほぼ同じであり、緩衝部３２の上面片４０より短い。そして、側面１４の、糊付片２２または側面１６との連接方向の長さから、緩衝部３２の上面片４０の連接方向の長さを差し引いたものよりも少し短い。上面片糊付け部８０は、上面片７８よりも少し長く、緩衝部３２の上面片糊付け部４２とほぼ同じである。緩衝部７０全体の長さは、緩衝部３２全体の長さより、短い。
【００２６】
底面片７４、立上片７６、上面片７８には、折罫線７２に対して直角に位置する押し罫線８１が設けられ、補強されている。押し罫線８１は、折罫線７２と折罫線８６に連続する。押し罫線８１は、底面片７４、立上片７６、上面片７８の各々中央を通過する位置に設けられている。
【００２７】
側面１８の、側面１６の折罫線６８に隣接する部分には、矩形の外側上蓋片８８が折罫線９０で区切られて設けられ、外側上蓋片８８は内側上蓋片５８とほぼ同じ大きさである。側面１８の、折罫線９０に隣接する部分には、コの字形の開封用破断線９２が設けられている。開封用破断線９２の両端部は、折罫線９０に達し、さらに折罫線９０に沿って互いに離れる方に延出している。折罫線９０と開封用破断線９２で囲まれた矩形の部分は、緩衝機能付包装箱１０を開封する際の押し部９４となる。側面１８の、折罫線９０と反対側の端部には、矩形の外側下蓋片９６が折罫線９８で区切られて設けられ、外側上蓋片９６は、内側下蓋片６２よりも少し大きく、内側下蓋片６２を覆う大きさである。
【００２８】
側面２０の、側面１８の折罫線９０に隣接する部分には、上フラップ６６と線対称の形状の上フラップ１００が折罫線１０２で区切られて設けられている。側面２０の、折罫線１０２とは反対側の端部には、小さい矩形の下フラップ１０４が折罫線１０６で区切られて設けられている。
【００２９】
次に、この実施形態の緩衝機能付包装箱１０の組立方法の一例について説明する。なお、ここでは図２が緩衝機能付包装箱１０の箱体形成片１２の表側を見たものであり、箱体形成片１２の表面が凸になる折り方を正折り、そして裏面が凸になる折り方を逆折りと称する。
【００３０】
まず、上面片糊付け部４２，８０の裏面に糊１０８を塗布し、図３に示すように緩衝部３２の折罫線４４と、緩衝部７０の破断線８２を正折りし、糊付片２２と側面１６の裏面に折り重ねる。これにより、上面片糊付け部４２は糊付片２２の裏面に糊１０８により糊付けされ、上面片糊付け部８０は側面１６の裏面に糊１０８により糊付けされる。なお図３は、箱体形成片１２の裏面を見たものである。次に、折罫線２６を正折りし、糊付片２２の表面側の折罫線２４と側縁部２２ａに沿って糊１１０を塗布し、折罫線３０を正折りする。これにより、側面２０の裏面は糊１１０により糊付片２２の表面に糊付けされ、折り畳み状態となり、この状態で箱体形成片１２による折り畳み状態の緩衝機能付包装箱１０が、商品である収容物１１２を包装する工場へ出荷される。収容物１１２は、液剤等が入れられたガラス瓶等である。糊付と折る順番は、上記以外でも良い。
【００３１】
次に、収容物１１２を収容し包装する工場において、折罫線２４，２６，２８，３０を各々９０°に正折りして四角形の筒体にする。次に、外側上蓋片８８の裏面に、折罫線９０とは反対側の端部に沿って糊１１４を塗布し、折罫線６８，１０２で上フラップ６６，１００を９０°に正折りし、内側上蓋片５８を折罫線６０で正折りし、さらに差込片６１を折罫線６３で正折りして、側面１８の裏面に差し込む。次に、外側上蓋片８８を折罫線９０で９０°に正折りする。これにより、外側上蓋片８８の裏面は内側上蓋片５８の表面に糊１１４により糊付けされ、一方の開口に端面が形成される。
【００３２】
そして他方の端面から収容物１１２を２つ入れる。収容物１１２は、側面１４と側面１８の間に左右に並んで入れ、収容物１１２の上端部が内側上蓋片５８に向く方向に入れる。そして、折罫線３４で緩衝部３２の延長片３６を９０°に正折りする。すると延長片３６、立上片３８、上面片４０は糊付片２２から引き起こされ、互いに略直角に立ち上がり、コの字形に組み立てられる。この時、上方突出部５０は上面片４０から引き起こされて、立上片３８と面一になり、上面片４０の上方へ突出する。上面片４０は一対の収容物１１２の間に差し込まれ、収容物１１２どうしが衝突することを防ぐ中央仕切りとなる。下方突出部４７は、延長片３６から引き起こされ、立上片３８と面一になり、延長片３６の下方へ突出する。上面片４０は、糊付片２２に近い位置の収容物１１２の底面に対面する。
【００３３】
そして、折罫線３４を正折りすると同時に、折罫線７２で緩衝部７０の底面片７４を９０°に正折りする。すると底面片７４、立上片７６、上面片７８は側面１６から引き起こされ、互いに略直角に立ち上がり、コの字形に組み立てられる。これにより、上面片７８は側面１６に近い位置の収容物１１２の底面に対面する。
【００３４】
次に、下フラップ１０４を折罫線１０６で９０°に正折りし、外側下蓋片９６の裏面に、折罫線９８とは反対側の端部に沿って糊１１６を塗布し、内側下蓋片６２を折罫線６４で９０°に正折りし、次に外側下蓋片９６を折罫線９８で９０°に正折りする。これにより、外側下蓋片９６の裏面は内側下蓋片６２の表面に糊１１６により糊付けされ、筒体の他方の開口が閉鎖され、箱体の底部１１８が形成される。図１に示すように、緩衝部３２と緩衝部７０が対向して組み立てられ、包装が完了する。
【００３５】
図１に示すように、緩衝部３２，７０は、底部１１８に押さえられて立体形状を維持する。一対の収容物１１２は、底面を上面片４０又は上面片７８に支持され、底部１１８から離間する。緩衝部３２の上面片４０の、立上片３８との連接方向の長さは、側面１４の、糊付片２２との連接方向の長さの約半分であり、上面片４０に連続する立上片３８は、底部１１８のほぼ中央に位置し、上方突出部５０と下方突出部４７も、底部１１８のほぼ中央に位置する。上面片４０は一方の収容物１１２の底面を覆う十分な大きさを有している。緩衝部７０の上面片７８は、上面片４０より短く、上面片７８に連続する立上片７６は、立上片３８と離間し、側面１６に近い位置の収容物１１２の底面の下方に位置する。下方突出部４７の先端部４７ａは底部１１８に当接し、延長片３６を保持する。
【００３６】
緩衝機能付包装箱１０を開封する際は、押し部９４を押して開封用破断線９２を切断して開封する。再封する際は、差込片６１を側面１８の裏面に差し込み、内側上蓋片５８を閉じた状態に係止する。
【００３７】
この実施形態の緩衝機能付包装箱１０によれば、小さい面積の箱体形成片１２で形成され、高い緩衝機能を有し、確実に２つの収容物１１２を保護して収容することができる。組立方法も簡単であり、包装工程の効率が良い。２つの収容物１１２の間には小形の上方突出部５０が中央仕切りとして設置され、互いに衝突することが無い。延長片３６は底部１１８から離間しており、底部１１８からの衝撃が伝わりにくい。緩衝部３２，７０は互いに離間し、一方の立上片７６が収容物１１２の底面を支持しているため、十分な緩衝効果を得ることができる。
【００３８】
次に他の実施形態について図５、図６に基づいて説明する。なお、ここで、上記実施形態と同様の部材は同様の符号を付して説明を省略する。この実施形態の緩衝機能付包装箱１２０は、紙製のシートを打ち抜いて形成された箱体形成片１２２を組み立てて設けられている。
【００３９】
箱体形成片１２２は、側面１４，１６，１８，２０が、互いに平行に連接して形成されている。さらに、側面２０の側縁部には、側面１４の裏面に糊付けされる糊付片２３が設けられている。側面１４，１６，１８，２０、糊付片２３は、各々折罫線２６，２８，３０，３１で区切られている。
【００４０】
側面１４の、側面１６との連接方向に対して直角な方向の一端部には、台形の内側上蓋片６５が折罫線６７で区切られて設けられている。側面１４の折罫線６７とは反対側の端部には、内側上蓋片６５と同じ形状の内側下蓋片６２が折罫線６４で区切られて設けられている。
【００４１】
側面１６の、折罫線６８とは反対側の端部には、緩衝部７０が折罫線７２で区切られて連接して設けられている。緩衝部７０は、折罫線７２に連接して、底面片７４と、立上片７６と、上面片７８、上面片糊付け部８０が順に設けられ、折罫線７２に対して平行な破断線８２と折罫線１２４，８６で各々区切られている。折罫線１２４の中心には、立上片７６側に凸となるコの字形の切断線１２６が設けられている。切断線１２６の内側の部分は、折罫線１２４を折り曲げた時に上面片７８と面一に突出する側方突出部１２８となる。切断線１２６の、コの字形の角部は、立上片７６側に僅かに突出して形成されている。
【００４２】
底面片７４、立上片７６、上面片７８には、折罫線７２に対して直角に位置する押し罫線８１が設けられ、補強されている。押し罫線８１は、破断線８２と折罫線８６に連続し、折罫線１２４の周辺が途切れ、切断線１２６とその内側の側方突出部１２８には連続しない。
【００４３】
側面２０の、折罫線１０２とは反対側の端部には、緩衝部１３０が折罫線１３２で区切られて連接して設けられている。緩衝部１３０は、折罫線１３２に連接して、底面片１３４と、立上片１３６と、上面片１３８、上面片糊付け部１４０が順に設けられ、折罫線１３２に対して平行な破断線１４２，１４４と折罫線１４６で各々区切られている。底面片１３４は、折罫線１３２側の端部よりも反対側の破断線１４２を有する端部が短く、折罫線１３２に交差する一対の側縁部には横幅が小さくなる段部が設けられている。立上片１３６と、上面片１３８、上面片糊付け部１４０は、連接方向に交差する幅が互いに同じ矩形であり、底面片１３４の破断線１４２を有する端部よりわずかに短い。連接方向の長さは互いに異なり、底面片１３４は、底面片７４よりも少し短い。立上片１３６は、底面片１３４の半分程度で短く、上面片１３８は底面片１３４とほぼ同じであり、緩衝部７０の上面片７８より短い。上面片糊付け部１４０は、上面片１３８よりも少し長く、緩衝部７０の上面片糊付け部８０とほぼ同じである。緩衝部１３０全体の長さは、緩衝部７０全体の長さより、短い。
【００４４】
立上片１３６、上面片１３８には、折罫線１３２に対して直角に位置する押し罫線１４８が設けられ、補強されている。押し罫線１４８は、破断線１４２と折罫線１４６に連続している。押し罫線１４８は、立上片１３６、上面片１３８の各々中央を通過する位置に設けられている。
【００４５】
次に、この実施形態の緩衝機能付包装箱１２０の組立方法の一例について説明する。まず、上面片糊付け部８０，１４０の裏面に糊１０８を塗布し、緩衝部７０の破断線８２と、緩衝部１３０の破断線１４２を正折りし、側面１６，２０の裏面に折り重ねる。これにより、上面片糊付け部８０は側面１６の裏面に糊１０８により糊付けされ、上面片糊付け部１４０は側面２０の裏面に糊１０８により糊付けされる。次に、折罫線３０を正折りし、糊付片２３の表面に糊１１０を塗布し、折罫線２６を正折りする。これにより、側面１４の裏面は糊１１０により糊付片２３の表面に糊付けされ、折り畳み状態となる。
【００４６】
次に、収容物１１２を収容し包装する工場において、折罫線２６，２８，３０，３１を各々９０°に正折りして四角形の筒体にする。次に、外側上蓋片８８の裏面に、折罫線９０とは反対側の端部に沿って糊１１４を塗布し、折罫線６８，１０２で上フラップ６６，１００を９０°に正折りし、内側上蓋片６５を折罫線６７で正折りし、次に、外側上蓋片８８を折罫線９０で９０°に正折りする。これにより、外側上蓋片８８の裏面は内側上蓋片６５の表面に糊１１４により糊付けされ、一方の開口に端面が形成される。
【００４７】
そして、他方の端面から収容物１１２を２つ入れて、折罫線１３２で緩衝部１３０の底面片１３４を９０°に正折りする。すると底面片１３４、立上片１３６、上面片１３８は側面２０から引き起こされ、互いに略直角に立ち上がり、コの字形に組み立てられる。これにより、上面片１３８は、側面２０に近い位置の収容物１１２の底面に対面する。
【００４８】
次に、折罫線１３２を正折りすると同時に、折罫線７２で緩衝部７０の底面片７４を９０°に正折りする。すると底面片７４、立上片７６、上面片７８は側面１６から引き起こされ、互いに略直角に立ち上がり、コの字形に組み立てられる。これにより、上面片７８は側面１６に近い位置の収容物１１２の底面に対面する。この時、側方突出部１２８は立上片７６から引き起こされて、上面片７８と面一になり、立上片７６の側方へ突出する。側方突出部１２８の先端１２８ａは、側面２０に近い位置の収容物１１２の側面に対向し、側面１６に近い位置の収容物１１２から離間させ、収容物１１２どうしの衝突を防ぐスペーサーとなる。緩衝部１３０の立上片１３６が、緩衝部７０の立上片７６よりも短いため、上面片１３８が上面片７８よりも低い位置にあり、側方突出部１２８は低い方の収容物１１２の側面に対向する。
【００４９】
次に、外側下蓋片９６の裏面に、折罫線９８とは反対側の端部に沿って糊１１６を塗布し、内側下蓋片６２を折罫線６４で９０°に正折りし、次に外側下蓋片９６を折罫線９８で９０°に正折りする。これにより、外側下蓋片９６の裏面は内側下蓋片６２の表面に糊１１６により糊付けされ、筒体の他方の開口が閉鎖され、箱体の底部１１８が形成される。図５に示すように、緩衝部７０と緩衝部１３０が対向して組み立てられ、包装が完了する。
【００５０】
図５に示すように、緩衝部１３０，７０は、底部１１８に押さえられて立体形状を維持する。一対の収容物１１２は、底面を上面片７８又は上面片１３８に支持され、底部１１８から離間する。上面片１３８は上面片７８より短く、上面片１３８に連続する立上片１３６は、上面片７８に連続する立上片７６と離間して側面２０に近い収容物１１２の下方に位置する。
【００５１】
この実施形態の緩衝機能付包装箱１２０によれば、上記実施の形態と同様の効果を有するものである。特に、側方突出部１２８の先端１２８ａが収容物１１２の側面に対面してスペーサーとなり、収容物１１２どうしの衝突を防ぐことができる。緩衝機能付包装箱１２０に強い衝撃が加えられると、図５に二点鎖線で示すように側面２０に近い位置の収容物１１２の上部が傾いて他方の収容物１１２に当たるが、上部は樹脂や柔らかい金属製のキャップが取り付けられ、キャップ部分で当たるため、ガラス製の瓶本体が破損することが無い。
【００５２】
次にさらに他の実施形態について図７、図８に基づいて説明する。なお、ここで、上記実施形態と同様の部材は同様の符号を付して説明を省略する。この実施形態の緩衝機能付包装箱１５０は、紙製のシートを打ち抜いて形成された箱体形成片１５２を組み立てて設けられている。
【００５３】
側面１６の、折罫線６８とは反対側の端部には、緩衝部７０が折罫線７２で区切られて連接して設けられている。緩衝部７０は、折罫線７２に連接して、底面片７４と、立上片７６と、上面片７８、上面片糊付け部８０が順に設けられ、折罫線７２に対して平行な折罫線１５４，１２４，８６で各々区切られている。
【００５４】
折罫線１２４の中心には、立上片７６側に凸となるコの字形の切断線１２６が設けられている。切断線１２６の内側の部分は、折罫線１２４を折り曲げた時に上面片７８と面一に突出する側方突出部１２８となる。切断線１２６の、コの字形の角部は、立上片７６側に僅かに突出して形成されている。
【００５５】
底面片７４、立上片７６、上面片７８には、折罫線７２に対して直角に位置する押し罫線８１が２本設けられ、補強されている。押し罫線８１は、折罫線７２と折罫線８６に連続し、折罫線１５４，１２４と交差している。押し罫線８１は、底面片７４、立上片７６、上面片７８の各々中央を挟んだ両側を通過して設けられている。
【００５６】
立上片７６の、折罫線２６の延長に位置する側縁部には、上方突出片１５６が破断線１５８で区切られて設けられている。上方突出片１５６は、変形した矩形であり、破断線１５８とは反対側には破断線１５８に対して略平行な直線の側縁部１５６ａを有し、側縁部１５６ａの一方の端部には、折罫線１５４と破断線１５８の交点に連続する直線の端部１５６ｂが連続し、端部１５６ｂは、破断線１５８から離れるにつれて折罫線１５４の延長線から離れるように傾斜している。端部１５６ｂとは反対側の端部１５６ｃは、折罫線１２４の延長線よりも突出する台形状に形成され、折罫線１２４の延長線よりも突出した部分は、上方突出部１５９となる。上方突出片１５６のほぼ中央には、折罫線１２４の延長線上の位置に、矩形の開口部１６０が設けられている。
【００５７】
側面２０の、折罫線１０２とは反対側の端部には、緩衝部１３０が折罫線１３２で区切られて連接して設けられている。緩衝部１３０は、折罫線１３２に連接して、底面片１３４、立上片１３６、上面片１３８、上面片糊付け部１４０が順に設けられ、折罫線１３２に対して平行な折罫線１４３，１４５，１４６で各々区切られている。
【００５８】
底面片１３４、立上片１３６、上面片１３８には、折罫線１３２に対して直角に位置する押し罫線１４９が２本設けられ、補強されている。押し罫線１４９は、折罫線１３２と折罫線１４６に連続し、折罫線１４３，１４５と交差している。押し罫線１４９は、底面片１３４，立上片１３６，上面片１３８の各々中央を挟んだ両側を通過して設けられている。
【００５９】
次に、この実施形態の緩衝機能付包装箱１５０の組立方法の一例について説明する。まず、上面片糊付け部８０，１４０の裏面に糊１０８を塗布し、緩衝部７０の折罫線１５４と、緩衝部１３０の折罫線１４３を正折りし、側面１６，２０の裏面に折り重ねる。これにより、上面片糊付け部８０は側面１６の裏面に糊１０８により糊付けされ、上面片糊付け部１４０は側面２０の裏面に糊１０８により糊付けされる。さらに、上方突出片１５６の表面に、糊１６２を塗布し、破断線１５８を逆折りして立上片７６の表面に折り重ねる。これにより、上方突出片１５６は立上片７６の表面に糊１６２により糊付けされる。次に、折罫線３０を正折りし、糊付片２３の表面に糊１１０を塗布し、折罫線２６を正折りする。これにより、側面１４の裏面は糊１１０により糊付片２３の表面に糊付けされ、折り畳み状態となる。
【００６０】
次に、収容物１１２を収容し包装する工場において、折罫線２６，２８，３０，３１を各々９０°に正折りして四角形の筒体にする。次に、外側上蓋片８８の裏面に、折罫線９０とは反対側の端部に沿って糊１１４を塗布し、折罫線６８，１０２で上フラップ６６，１００を９０°に正折りし、内側上蓋片６５を折罫線６７で正折りし、次に、外側上蓋片８８を折罫線９０で９０°に正折りする。これにより、外側上蓋片８８の裏面は内側上蓋片６５の表面に糊１１４により糊付けされ、一方の開口に端面が形成される。
【００６１】
そして、他方の端面から収容物１１２を２つ入れる。そして、折罫線１３２で緩衝部１３０の底面片１３４を９０°に正折りする。すると底面片１３４、立上片１３６、上面片１３８は側面２０から引き起こされ、互いに略直角に立ち上がり、コの字形に組み立てられる。これにより、上面片１３８は、側面２０に近い位置の収容物１１２の底面に対面する。
【００６２】
そして、折罫線１３２を正折りすると同時に、折罫線７２で緩衝部７０の底面片７４を９０°に正折りする。すると底面片７４、立上片７６、上面片７８は側面１６から引き起こされ、互いに略直角に立ち上がり、コの字形に組み立てられる。これにより、上面片７８は側面１６に近い位置の収容物１１２の底面に対面する。この時、側方突出部１２８は立上片７６から引き起こされて、上面片７８と面一になり、立上片７６の側方へ突出する。側方突出部１２８の先端１２８ａは、側面２０に近い位置の収容物１１２の側面に対向し、側面１６に近い位置の収容物１１２から離間させ、収容物１１２どうしの衝突を防ぐスペーサーとなる。緩衝部１３０は立上片１３６が、緩衝部７０の立上片７６よりも短いため、上面片１３８が上面片７８よりも低い位置にあり、側方突出部１２８は収容物１１２の側面に対向する。また、立上片７６には上方突出片１５６が糊付けされ、上方突出部１５６の上方突出部１５９は、立上片７６と面一となり上面片７８の上方へ突出する。上方突出部１５９は、一対の収容物１１２の間に差し込まれ、収容物１１２どうしが衝突することを防ぐ中央仕切りとなる。上方突出部１５６には、折罫線１２４の延長線上の位置に開口部１６０が設けられているため、側方突出部１２８は、開口部１６０の内側を通過して立上片７６の側方へ突出する。
【００６３】
次に、外側下蓋片９６の裏面に糊１１６を塗布し、内側下蓋片６２を折罫線６４で９０°に正折りし、次に外側下蓋片９６を折罫線９８で９０°に正折りする。筒体の他方の開口が閉鎖され、底部１１８が形成される。図７に示すように、緩衝部７０と緩衝部１３０が対向して組み立てられ、包装が完了する。
【００６４】
この実施形態の緩衝機能付包装箱１５０によれば、上記実施形態と同様の効果を有するものである。特に、側方突出部１２８と上方突出部１５９が設けられ、より高い緩衝効果を得ることができる。
【００６５】
なお、この発明は上記実施形態に限定されるものではなく、上蓋片や下蓋片、各フラップ等の形状や大きさ、数等適宜変更可能である。緩衝機能付包装箱に入れる収容物は液剤入り薬瓶以外にいろいろな物品に使用することができる。箱体形成片の素材は、紙以外に合成樹脂や合成樹脂と紙を積層したもの等、自由に選択可能である。折罫線や押し罫線の本数や長さも、適宜変更可能であり、緩衝部以外に押し罫線が設けられてもよい。折り曲げるための折罫線と破断線は、どちらを選択しても良い。緩衝部の、延長片、底面片、立上片、上面片等の連接方向の幅や長さは、上記実施以外でもよい。
【符号の説明】
【００６６】
１０，１２０，１５０  緩衝機能付包装用箱
１２，１２２，１５２  箱体形成片
１４，１６，１８，２０  側面
２２，２３  糊付片
３２，７０，１３０  緩衝部
３６  延長片
３８，７６，１３６  立上片
４０，７８，１３８  上面片
３４，４４，４６，７２，１２４，１３２  折罫線
４２，８０，１４０  上面片糊付け部
４５，５２，１２６  切断線
４７  下方突出部
５０，１５９  上方突出部
７４，１３４  底面片
１１２  収容物
１１８  底部
１２８  側方突出部
１５６  上方突出片
【要約】
【課題】高い緩衝機能を有し、確実に収容物を保護することができる緩衝機能付包装箱を提供する。
【解決手段】筒体に組み立てられた側面２０の裏面に糊付けされて、筒体を保形する糊付片２２と、筒体の下方の開口を閉鎖する底部１１８とを有する。底部１１８の内側に設けられ互いに対向する一対の緩衝部３２，７０を備え、一方の緩衝部３２は、糊付片２２に連接している。糊付片２２に連接する緩衝部３２は、底部１１８から所定間隔離れて略平行に位置する延長片３６と、延長片３６の糊付片２２とは反対側の端部に連続し上方に立ち上がる立上片３８と、立上片３８の端部と糊付片２２の高さの途中部分に連続する上面片４０を備える。上面片４０は、収容物１１２の底面を保持する。立上片３８には、延長片３６よりも下方に突出し底部１１８に先端が当接する下方突出部４７と、上面片４０よりも上方に突出し、箱体内の空間を仕切る上方突出部５０を有する。
【選択図】図１【図１】
0006903829.tif 000002
【図２】
0006903829.tif 000003
【図３】
0006903829.tif 000004
【図４】
0006903829.tif 000005
【図５】
0006903829.tif 000006
【図６】
0006903829.tif 000007
【図７】
0006903829.tif 000008
【図８】
0006903829.tif 000009